(57)【要約】【課題】肌に優しく柔らかな感触を有し、足に絡まりにくい形状でホコリがでにくく食しても害が無く、吸湿性、通気性、保温性も良好で、ハムスター、シマリス、ウサギなどの小動物に好適で、使用後は燃えるゴミとして処分可能な小動物用巣材を提供する。【解決手段】巣材１が植物系天然繊維素材を原料とした多数の短冊状の紙片チップ２，３で構成されている。紙片チップ２は、不織布又は抄造紙などの繊維同士が交絡した単層構造のシート状物４が、短冊状にカットされて構成されていてもよく、また、連続した波形凹凸形状の中芯シート５と、該中芯シート５の表裏両面に接着される表裏面シート７，８とからなり該表裏面シート７，８の間に前記中芯シート５の波形凹凸形状に沿って両側に開口した通気孔６を備えた三層構造のシート状物９が、前記通気孔６が短辺方向に開口するように短冊状にカットされて構成されていてもよい。【選択図】図１
0003113985.tif 000002
【実用新案登録請求の範囲】
【請求項１】
巣材（１）が植物系天然繊維素材を原料とした多数の短冊状の紙片チップ（２）（３）で構成されていることを特徴とする小動物用巣材。
【請求項２】
前記紙片チップ（２）は、不織布又は抄造紙などの繊維同士が交絡した単層構造のシート状物（４）が、短冊状にカットされて構成されていることを特徴とする請求項１に記載の小動物用巣材。
【請求項３】
前記紙片チップ（３）は、連続した波形凹凸形状の中芯シート（５）と、該中芯シート（５）の表裏両面に接着される表裏面シート（７）（８）とからなり該表裏面シート（７）（８）の間に前記中芯シート（５）の波形凹凸形状に沿って両側に開口した通気孔（６）を備えた三層構造のシート状物（９）が、前記通気孔（６）が短辺方向に開口するように短冊状にカットされて構成されていることを特徴とする請求項１に記載の小動物用巣材。
【請求項４】
前記紙片チップ（２）（３）には、防虫、害虫忌避、抗菌、消臭、芳香の効能のうち小動物には害の無い安全な１種又は２種或いは２種以上の効能を持つ成分が配合されていることを特徴とする請求項１〜３のいずれかに記載の小動物用巣材。
【考案の詳細な説明】
【技術分野】
【０００１】
本考案は、ハムスター、シマリス、ウサギ、モルモット、フェレット、その他の小動物や小鳥、爬虫類等の小動物用巣材に関するものである。
【背景技術】
【０００２】
この種の小動物、例えば、ハムスターは、気温が１０℃以下になると仮死状態になり時間の経過により死に至るので、冬の寒さ対策用巣材として、保温性に優れた天然綿が一般に使用されており、また、この天然綿は通気性も良いため四季を通して使用されている。
また、小動物用巣材として、おが屑や木材チップなども用いられている。その他、破砕された紙を主原料とする家畜飼育用敷材（特許文献１参照）や、古紙を裁断したものに光触媒物質を付着させた動物飼育用敷材（特許文献２参照）がある。
【特許文献１】特開平１１−２３９４２６号公報
【特許文献２】特開２００１−２９９１２０号公報
【考案の開示】
【考案が解決しようとする課題】
【０００３】
従来の天然綿は、保温性、通気性を兼ね備え、天然素材で無漂白であるところから小動物用巣材として最適であると云われていたが、最近では輸入品が多く薬剤で燻蒸処理を行っているものもあり、必ずしも安心できるものではなくなっている。また、天然綿は、繊維自身が長いため、足が絡まるという問題が指摘されていた。
また、おが屑や木材チップは素材が針葉樹からなる場合には粉末による呼吸器のアレルギーや素材のもつ成分・ささくれたトゲが肌にあたり擦れて肌アレルギーが起こる場合もあった。
【０００４】
さらに、特許文献１や特許文献２のものは、飼育動物の糞尿などの排泄物の水分を吸収させ、雑菌の繁殖防止、悪臭の発生防止を図ることを主たる目的とした敷材であって、敷材自体の形態が大きすぎるため、飼育ケースなどで飼育される小動物用巣材としての適性に欠けると共に、原料となる紙や古紙にアレルギー成分などの有害成分を含んでいる場合があるため、食した場合に問題を起こし、また、呼吸器や肌へのアレルギーを起こす恐れがあった。
このように、従来の巣材乃至敷材は、小動物用巣材としては適当なものではなかった。
【０００５】
本考案は、従来の巣材乃至敷材の上記問題点に鑑みて提供されたものであって、その目的とするところは、肌に優しく柔らかな感触を有し、足に絡まりにくい形状でホコリがでにくく食しても害が無く、吸湿性、通気性、保温性も良好で、ハムスター、シマリス、ウサギなどの小動物に好適で、使用後は燃えるゴミとして処分可能な小動物用巣材を提供することである。
【課題を解決するための手段】
【０００６】
前記課題を解決するため、本考案は、巣材が植物系天然繊維素材を原料とした多数の短冊状の紙片チップで構成されていることを特徴としている。
上記構成によれば、小動物の足に絡まりにくい形状で、ホコリがでにくく、食しても害が無く、肌に優しく柔らかな感触を有し、吸湿性、通気性、保温性も良好な小動物用巣材
を提供することができ、使用後は燃えるゴミとして処分することもできる。
前記紙片チップは、不織布又は繊維同士が交絡した単層構造のシート状物が、短冊状にカットされて構成されていてもよく、また、連続した波形凹凸形状の中芯シートと、該中芯シートの表裏両面に接着される表裏面シートとからなり該表裏面シートの間に前記中芯シートの波形凹凸形状に沿って両側に開口した通気孔を備えた三層構造のシート状物が、前記通気孔が短辺方向に開口するように短冊状にカットされて構成されていてもよい。
【０００７】
このような構成としておくと、後者の構成では前者の構成よりも立体的で嵩高となり通気性や保温性に優れた巣材となり、また、前者の構成は後者の構成よりも柔軟性に優れた巣材となる。
さらに、前記紙片チップには、防虫、害虫忌避、抗菌、消臭、芳香の効能のうち小動物には害の無い安全な１種又は２種或いは２種以上の効能を持つ成分が配合されていることが望ましい。
このような構成を採用することにより、小動物の飼育ケースや寝床などに防虫、害虫忌避、抗菌、消臭、芳香の衛生的で快適な環境を維持させることができる。
【考案の効果】
【０００８】
本考案の小動物用巣材によれば、巣材が植物系天然繊維素材を原料とした多数の短冊状の紙片チップで構成されているため、肌に優しく柔らかな感触を有し、足に絡まりにくい形状でホコリがでにくく食しても害が無く、吸湿性、通気性、保温性も良好で、ハムスター、シマリス、ウサギなどの小動物に好適で、使用後は燃えるゴミとして処分可能である。
【考案を実施するための最良の形態】
【０００９】
以下、本考案の実施の形態を図面に基づいて説明する。
本考案に係る小動物用巣材１は、図１に示すように、多数の短冊状の紙片チップ２又は／及び３で構成されており、いずれも植物系天然繊維素材を原料としている。
上記植物系天然繊維素材としては、例えば、木材などの植物から取り出した繊維で紙の原料とされるパルプが使用される。パルプを原料として製造された不織布は、短繊維のため、カットし易く小動物が巣作りのときにほぐしても絡み難くなっている。また、パルプの構成は、バージン２０％、リサイクル８０％とリサイクル１００％の２種類でテストしたが、リサイクル１００％の方がやわらかく肌に優しい感触が得られている。しかも、パルプは、ウッドチップに比べホコリがでにくい素材であり、アレルギー予防に優れている。しかし、上記不織布以外のもの、例えば、製紙工程や古紙リサイクル工程で抄造される単層のシート状物或いは通気孔を介在形成する複層構造のシート状物でもよい。
【００１０】
上記紙片チップ２は、図２に示すように、不織布又は抄造紙などの繊維同士が交絡した単層構造のシート状物４が、適宜の切断装置、例えば、シュレッダーやカッター等（図示省略）により短冊状にカットされて構成されている。
この紙片チップ２のカット後の短冊形状のサイズは、ハムスターやシマリスに対しては、３×１２×０．１ｍｍ（短辺×長辺×厚さ）が最適である。これは、ハムスターやシマリスが上記紙片チップ２を前足と口とでほぐしながら巣を編んだように形成するためである。厚さを０．１ｍｍとした理由は、０．２ｍｍでテストを行ったが、コストが高いことと、厚さが薄い方が密度が多くなるので保温効果が高まるためである。
【００１１】
上記紙片チップ２のサイズは、長辺が上記よりも小さくなるほど巣を形成する場合にバラバラになり易く、上記よりも大きくなるほど足に絡まり易くなる。また、短辺は、上記よりも小さくなるほど紙片チップ２が多数必要となり巣作りに時間がかかり足に絡み易くなり、大きくなると長辺とのバランスが悪くなり巣が編み上げ難くなる。また、厚さは、薄くなるほど密度が高くなるので保温効果が高まり、厚くなるほどコストが高くなる。従って、上記サイズとしておくことが、ハムスターやシマリスが巣を編んだように形成するために安定した形状であった。なお、カットサイズを変えることにより、ウサギ、フェレット、モルモット等の小動物、小鳥等にも使用可能である。
【００１２】
また、前記紙片チップ３は、図３に示すように、連続した波形凹凸形状の中芯シート５と、該中芯シート５の表裏両面にデンプン等の小動物に害のない接着剤により接着される表裏面シート７，８とからなり該表裏面シート７，８の間に前記中芯シート５の波形凹凸形状に沿って両側に開口した通気孔６を備えた三層構造のシート状物９が、前記通気孔６が短辺方向に開口するように短冊状にカットされて構成されている。中芯シート５及び表裏面シート７，８は、シート厚さが同一とされており、本実施形態では、０．１ｍｍとされている。
【００１３】
上記紙片チップ３のカット後の短冊形状のサイズは、３×１２×５ｍｍ（短辺×長辺×厚さ）が適当である。厚さ５ｍｍとする理由は、３ｍｍと７ｍｍでテストしたが、３ｍｍでは敷き詰めたときに紙片チップが大量に必要で不経済であり、７ｍｍではカット加工がし難く通気孔６の開口度が粗くなる。
上記紙片チップ３のカットサイズは、上記よりも大きくするほど保温性が低下し、また、上記よりも小さくするほど飛散し易くなり、良好な通気性と保温空間を形成し難くなるので、上記サイズが適当である。
【００１４】
適応動物は、ハムスター全般、シマリス、ウサギ、モルモット、フェレット等の小動物や小鳥、爬虫類などもよい。
上記紙片チップ３による巣作りの様子は、図１の飼育ケース１０内に供給されたものを、小動物１１が口でくわえて運んで積み上げたり、前足や後ろ足でかき寄せたり、かき退けたり、鼻で押したりして適度の通気性と保温空間を形成した状態で巣作りをする。
本考案の前記紙片チップ２，３には、防虫、害虫忌避、抗菌、消臭、芳香の効能のうち小動物には害の無い安全な１種又は２種或いは２種以上の効能を持つ成分が配合されていることが望ましい。上記効能をもつ成分として、例えば、ヒノキチオールが挙げられるが、これに限定されない。なお、ヒノキチオールは、ヒバなどの木から抽出される成分で、虫（例えば、ノミ、ダニ、ゴキブリ、蚊などの有害害虫）の発生やバイ菌の増殖を抑える効果があるとされ、こうした防虫、抗菌効果を利用して食品の分野では鮮度保持剤や食品添加剤、ドッグフードの紙袋などで利用されている他、消臭効果を利用した消臭剤など様々な用途で使用されている安心素材である。
【００１５】
上記成分を前記紙片チップ２，３に配合するには、シート状物４，９にプリント印刷で塗布したり、塗布ローラや刷毛、スプレーで塗布させることで実施すればよい。
また、シート状物４，９は、小動物の毛や肌に色移りが無い様無着色とされるのが好ましい。従って、リサイクルパルプを利用する場合には、漂白処理などの無着色処理を施したものが好ましい。
本考案の小動物用巣材の実施形態は、以上の構成からなり、対象とする小動物の大きさや習性、好みに応じて前記紙片チップ２，３のどちらを選択するかや供給量を加減すればよく、例えば、小型ハムスターの場合では、前記紙片チップ２，３を５ｇ程度、ゴールデン・シマリスでは１０ｇ程度を目安として図１の飼育ケース１０に供給すればよい。ウサギ、モルモット、フェレットなどはもう少し多めに供給し、小鳥、爬虫類には、大きさに応じて供給量を増減すればよい。紙片チップ２と紙片チップ３は、当然ながら、同じ重さでも後者が立体的で嵩高であり通気性、保温性に優れた構造となるが、前者は柔軟性に優れ密度が高くなる。従って、前記紙片チップ２，３は、どちらか一方を単独で使用してもよく、場合によっては２種類を混合して使用してもよい。混合して使用する場合には、混合割合を対象とする小動物の習性や好みに応じて設定すればよい。上記紙片チップ２，３は、植物系天然繊維素材のパルプを原料としているため、肌に優しく柔らかな感触を有し、足に絡まりにくい形状でホコリがでにくく食しても害が無く、吸湿性、通気性、保温性も良好で、ハムスター、シマリス、ウサギなどの小動物に好適で、使用後は燃えるゴミとして処分可能である。また、天然綿のように燻蒸、農薬などの汚染の心配はない。
【００１６】
以上、本考案の実施形態について説明したが、本考案は、上記実施形態にのみ制約されるものではなく、実用新案登録請求の範囲に記載した範囲内において、自由に変形して実施することが出来る。例えば、短冊形状の寸法や各部の比率は、実施形態に限定されるものではない。
【図面の簡単な説明】
【００１７】
【図１】本考案の巣材を施与した小動物の飼育ケース内の様子を示す説明図で、巣材となる紙片チップの集積形態の部分拡大図及び紙片チップ単体の拡大斜視図である。
【図２】本考案の巣材となる紙片チップの第１の実施形態の製作形態の説明図である。
【図３】本考案の巣材となる紙片チップの第２の実施形態の製作形態の説明図である。
【符号の説明】
【００１８】
１    小動物用巣材
２    第１の実施形態の紙片チップ
３    第２の実施形態の紙片チップ
４    単層構造のシート状物
５    中芯シート
６    通気孔
７，８    表裏面シート
９    三層構造のシート状物
１０  飼育ケース
１１  小動物
【図１】
0003113985.tif 000003
【図２】
0003113985.tif 000004
【図３】
0003113985.tif 000005